(57)【要約】【課題】壁パネルの下端部に配置される凸模様部において現れる横ラインを目立たなくするための新規な技術を提案する。【解決手段】模様部１０により表面模様６が形成される長方形状の壁パネル１において、模様部１０と目地部（縦目地部２０，横目地部３０）が壁パネル１の長辺方向（図１のＸ方向）および短片方向（図１のＹ方向）で交互に配置されており、模様部１０のうち少なくとも一部には窪み部４０が形成され、各模様部１０の下端側には少なくとも一つの窪み部４０が形成され、壁パネル１の最下行の少なくとも一つの模様部１０における窪み部４０の長辺方向の割合は、少なくとも一つの模様部１０の上側に隣り合う他の模様部１０の窪み部４０の長辺方向の割合よりも、小さい、こととしている。【選択図】図１
2015105520.tif 000002
【特許請求の範囲】
【請求項１】
模様部により表面模様が形成される長方形状の壁パネルにおいて、
前記模様部と目地部が壁パネルの長辺方向および短片方向で交互に配置されており、
前記模様部のうち少なくとも一部には窪み部が形成され、
壁パネルの最下行の少なくとも一つの模様部における窪み部の前記長辺方向の割合は、
前記少なくとも一つの模様部の上側に隣り合う他の模様部の窪み部の前記長辺方向の割合よりも、小さい、
ことを特徴とする壁パネル。
【請求項２】
壁パネルの最下行の少なくとも一つの模様部における窪み部は、
上下方向に連続的に構成されており、
上側から下側へ向かうほど広がるように形成される、
ことを特徴とする請求項１に記載の壁パネル。
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（壁パネル状）の壁パネルを並設することで、外装や内装の壁を構成することが行われている。隣り合う壁パネルは接合され、外観において連続した一連の壁表面が形成される。
【０００３】
おもて面に凹凸を施すことでタイル調、レンガ調、石調とする壁パネルも知られており、例えば、各凸模様部の間に縦横の目地が構成される壁パネルが知られている（例えば、特許文献１参照）。
【０００４】
特許文献１では、壁パネル（建築用板）のおもて面に、ほぼ方形状の凸模様部を有するものについて、左右（横方向）に隣り合う壁パネルの境界部（接合部）で、分割された凸模様部を構成しないための技術について開示している。
【先行技術文献】
【特許文献】
【０００５】
【特許文献１】特開２００２−３８６９１号公報
【発明の概要】
【発明が解決しようとする課題】
【０００６】
特許文献１に開示されるような壁パネルが上下方向（縦方向）、横方向（左右方向）に複数並べて配置されることで、一連の壁面が構成される。そして、この壁面においては、凸模様部のエッジ箇所、つまりは、凸模様部を構成する輪郭によって、凸模様部の意匠が構成されることになる。
【０００７】
そして、例えば、図１０に示すような横方向に長い方形状の凸模様部９２を有する壁パネル９０の場合には、凸模様部９２の表面から目地溝部に向かう箇所のエッジ箇所によって、横ライン９３ａ、縦ライン９３ｂが外観に現れることになる。
【０００８】
また、断面図に示すように、壁パネル９０は、凸模様部９２と、上下の凸模様部の間に形成される目地溝部９４（横目地部）を有しており、最上部には表実部９６が形成され、最下部には裏実部９８が形成されている。
【０００９】
ここで、凸模様部９２と目地溝部９４の凹凸はプレス成型によって形成されるため、凸模様部９２のエッジ箇所９２ａ、つまり凸模様部９２と目地溝部９４の境界部分は、なだらかな角部９３を構成することが考えられる。
【００１０】
これに対し、壁パネル９０の下端に配置される凸模様部９２Ａのエッジ箇所９８ａは、壁パネル９０を所定の寸法に切断加工した後のさらなる切断加工によって形成されるものであるため、プレス成型によって形成されるエッジ箇所９２ａと比較して、より角の立った角部９５を構成することが考えられる。
【００１１】
そして、特に壁パネル９０で構成される壁面を下から見上げた際に、プレス成型で形成されるエッジ箇所９２ａによって外観に現れる横ライン９３ａは、エッジ箇所９２ａがなだらかな角部９３であるため、その横ライン９３ａがぼんやりと現れ、目立ち難くなるものと考えられる。
【００１２】
一方で、壁パネル９０の下端の凸模様部９２Ａのエッジ箇所９８ａによって外観に現れる横ライン９５ａは、エッジ箇所９８ａが角の立った角部９５で構成されるため、その横ライン９５ａがくっきりと現れ、目立ち易くなるものと考えられる。
【００１３】
そして、この角の立った角部９５に起因して現れる横ライン９５ａが目立ってしまうと、外壁の美観を損なうことになり、また、施工上の不具合であるがごとくの印象を与えてしまうことも考えられる。このため、横ライン９５ａをより目立たなくするための対策を検討する必要がある。
【００１４】
そこで、本発明は、以上の問題に鑑み、特に壁パネルの下端部に配置される凸模様部において現れる横ラインを目立たなくするための新規な技術を提案する。
【課題を解決するための手段】
【００１５】
本発明の解決しようとする課題は以上の如くであり、次にこの課題を解決するための手段を説明する。
【００１６】
即ち、請求項１に記載のごとく、模様部により表面模様が形成される長方形状の壁パネルにおいて、模様部と目地部が壁パネルの長辺方向および短片方向で交互に配置されており、前記模様部のうち少なくとも一部には窪み部が形成され、壁パネルの最下行の少なくとも一つの模様部における窪み部の前記長辺方向の割合は、前記少なくとも一つの模様部の上側に隣り合う他の模様部の窪み部の前記長辺方向の割合よりも、小さい、こととする。
【００１７】
また、請求項２に記載のごとく、壁パネルの最下行の少なくとも一つの模様部における窪み部は、上下方向に連続的に構成されており、上側から下側へ向かうほど広がるように形成される、こととする。
【発明の効果】
【００１８】
本発明の効果として、以下に示すような効果を奏する。
【００１９】
即ち、請求項１に記載の発明においては、壁パネルの最下行に配置される少なくとも一つの模様部について、その直ぐ上にある模様部と比較すると、現れる横ラインの割合を少なくすることができ、最下行において、角度の鋭いエッジ箇所にて形成される横ラインが顕著に目立ってしまうことを防ぐことができる。
【００２０】
また、請求項２に記載の発明においては、模様部について窪み部の形状を含めたデザインをしつつ、エッジ箇所の横ラインが現れる部位を少なくすることができ、横ラインがくっきりと現れることによって外壁の美観を損なってしまうことや、施工上の不具合であるがごとくの印象を与えてしまうことを防ぐことができる。
【図面の簡単な説明】
【００２１】
【図１】本発明の一実施例に係る壁パネルの構成について示す図。
【図２】複数の壁パネルを並べて設置した状態について示す図。
【図３】表面模様等について説明する図。
【図４】連続目地部等について説明する図。
【図５】（Ａ）は、行の右端部において隆起部、窪み部が配置される場合について示す図。（Ｂ）は、行の右端部において窪み部、窪み部が配置される場合について示す図。
【図６】切断加工後の壁パネルの断面の一例を示す図。
【図７】（Ａ）は、切断加工後にバリが生じる様子について示す図。（Ｂ）は、面取り加工されて面取部が形成された状態について示す図。
【図８】（Ａ）は、連続面取部が形成される状態について示す図。（Ｂ）は、既存面取部が形成される場合について示す図。（Ｃ）は、隆起部と窪み部が隣り合う場合について示す図。（Ｄ）は、窪み部と窪み部が隣り合う場合について示す図。
【図９】模様部の下側のエッジ箇所により形成される横ラインの起伏について示す図。
【図１０】従来の一般的な形状の壁パネルの切断面について説明する図。
【発明を実施するための形態】
【００２２】
以下図面を参照し、より詳細に説明する。
図１及び図２に示すごとく、壁パネル１は、縦寸法よりも横寸法が長い長方形状のパネルにて構成される。複数の壁パネル１の上下の端部同士、左右の端部同士を接合することで、連続した一連の壁面を構成できるようになっている。
【００２３】
壁パネル１の左右の縦端辺２ａ，２ｂや上下の横端辺４ａ，４ｂには合抉部が形成され、隣り合う壁パネル１を実嵌合（実接合）できるようになっている。
【００２４】
なお、壁パネル１の四辺の全てに合抉部を構成して四辺合抉接合がされる構成とするほか、壁パネル１の三辺に合抉部を構成して三辺合抉接合がされる構成としてもよい。
【００２５】
また、以下の実施例においては、横方向に隣り合う壁パネル１同士は、実嵌合や接合金具などを用いる乾式結合（乾式シーリング）の例を用いて説明するが、シーリング材を用いた湿式結合（湿式シーリング）についても本発明を適用することができる。
【００２６】
また、以下の実施例においては、壁パネル１同士の接合について説明するが、壁パネル１と同様の表面模様６を有する出隅用パネルと壁パネルを接合する場合にも、本発明は適用できる。
【００２７】
図１及び図２に示すように、本実施例の壁パネル１は窯業系サイディングにて構成されており、表面に複数の模様部１０が縦方向（上下方向）、横方向（左右方向）に配設されることで、模様部１０を有してなる表面模様６が構成される。この表面模様６は、プレス機械にてプレスパターンを転写することで形成される。
【００２８】
図１に示すごとく、表面模様６は、横方向の一まとまりの行６１，６２を、上下方向に複数行並べて構成される。各行６１，６２において、隣り合う模様部１０の間には、壁パネル１の厚み方向において模様部１０よりも低い位置に縦目地部２０が縦方向に形成される。また、各行６１，６２の間には、壁パネル１の厚み方向において模様部１０よりも低い位置に横目地部３０が横方向に形成される。
【００２９】
各模様部１０は、縦目地部２０と横目地部３０によって周囲を囲まれることで画成され、それぞれが略方形状の単位形状（全体としてパターンを構成するための一要素）をなすように設計されている。
【００３０】
図３に示す実施例の模様部１０は、その表面において凹凸を有する立体的平面を構成する。より具体的には、その表面に窪み部４０を形成し、残りの部位を隆起部５０として残すことにより、自然石の石積みを模した立体的な意匠を構成することとしている。
【００３１】
図１乃至図４に示すごとく、表面模様６にはダミー目地部を構成する連続目地部２５が形成される。この連続目地部２５は、縦目地部２０を上下に隣り合う少なくとも二つの行６１，６２を上下方向に横断するように一直線に通すことで形成される。本実施例では、三つの行６１，６２，６３を横断することで、三つの行６１，６２，６３を跨ぐ一連の連続目地部２５が形成されている。
【００３２】
このような連続目地部２５は、他の部位の縦目地部２０と異なり、上下方向の幅が広いため看者の視線を集中させる効果が得られる。そして、この効果によって、壁パネル１を４枚接合した状態の図２に示すごとく、壁パネル１の接合部５の縦ライン５ａへの視線を連続目地部２５へと散らすことができ、壁パネル１の接合部５に形成され得る縦ライン５ａを目立ち難くすることができる。
【００３３】
なお、図２においては、連続目地部２５が形成される位置の一部を、楕円で囲んで表現している。このように、連続目地部２５が壁パネル１の複数箇所に点在するように配置されることで、視線を散らし易くなるといった効果が得られる。
【００３４】
以上のように構成される壁パネル１は、施工現場に搬入されたままの状態で使用されるほか、施工現場の状況に合わせて切断加工を行い、横幅寸法調整を実施することが想定される。
【００３５】
ここで、切断加工後の横幅寸法は施工現場において決められるため、切断加工後の壁パネル１の横方向端部（縦辺部）の模様部１０は、切断加工後の横幅寸法に応じて形成されることになる。
【００３６】
このため、例えば、図５（Ａ）のように、行６１，６２の右端部において、それぞれ窪み部４０、隆起部５０が配置される場合や、図５（Ｂ）のように、行６１，６２の右端部において、それぞれ窪み部４０、窪み部４０が配置されることが考えられる。
【００３７】
図６は、切断加工後の壁パネル１の断面の一例を示すものである。上端部には表実部６４が形成され、下端部には裏実部６６が形成される。また、各行６１においては、隆起部５０、窪み部４０が切断箇所に応じて現れ、行６１の間には横目地部３０が現れる。
【００３８】
図６に示される上下方向の途中部に現れる行６１の凹凸は、プレス成型によるパターンの転写により形成される。一方で、表実部６４が形成される上端部の行６５の上端斜面６５ａや、裏実部６６が形成される下端部の行６７の下端斜面６７ａは、切削（カッティング）によって形成される。
【００３９】
このため、図６に示すごとく、上下端の行６５，６７の上端斜面６５ａ、下端斜面６７ａのエッジ箇所６５ｅ，６７ｅ（それぞれ模様部１０の上端側、下端側の角部）の角度（エッジ角）は、他のエッジ箇所６０ｅ（プレスにより形成されたままのエッジ箇所）と比べてより鋭くなる、つまり、より角が立った状態となる。
【００４０】
図７（Ａ）は、切断加工後に生じる横方向端部（右端部）のバリ５２について示すものであり、このバリ５２が面取り加工（バリ取り加工）によって除去される。この面取り加工は、作業者がヤスリなどで行うことが想定され、特に隆起部５０のバリ５２が大きく除去されて、図７（Ｂ）に示すように、幅Ｗ１の面取部５４が形成される。なお、窪み部４０についてはバリ５２が形成されない、或いは、形成されたとしても極微小であるため、面取り加工がされないことが想定される。
【００４１】
また、図８（Ａ）に示すように、切断加工された壁パネル１Ａ，１Ｂ同士を左右方向に切断した場合、行６１において隆起部５０が隣り合う場合には、幅Ｗ１の面取部５４同士が向き合い、略Ｖ字溝をなす幅の広い連続面取部５６が形成されることになる。
【００４２】
また、図８（Ｂ）に示すように、例えば、一方の壁パネル１Ｂが切断加工がされていない場合であって、施工現場において搬入された状態のまま使用される場合であっても、工場での製作時において形成されたり、或いは、面取部５４と同様の外観を生じさせる凸模様部の傾斜面部が、既存面取部５５として接合部５に配置される場合には、行６１において、この既存面取部５５が切断加工された面取部５４と隣り合い、略Ｖ字溝をなす幅の広い連続面取部５６が形成されることになる。
【００４３】
また、図８（Ｃ）に示すように、切断加工された壁パネル１Ａ，１Ｂ同士の接合部５において、行６１において隆起部５０と窪み部４０が隣り合う場合には、幅Ｗ１の面取部５４のみが接合部５に現れることになる。
【００４４】
さらに、図８（Ｄ）に示すように、切断加工された壁パネル１Ａ，１Ｂ同士の接合部５において、行６１において窪み部４０と窪み部４０が隣り合う場合には、接合部５に面取部５４が現れない情況となる。
【００４５】
以上の構成において、さらに以下の点に特徴的な構成を有する。
即ち、図１、図３、図４、及び、図９に示すごとく、模様部１０により表面模様６が形成される長方形状の壁パネル１において、模様部１０と目地部（縦目地部２０，横目地部３０）が壁パネル１の長辺方向（図１のＸ方向）および短片方向（図１のＹ方向）で交互に配置されており、模様部１０のうち少なくとも一部には窪み部４０が形成され、各模様部１０の下端側には少なくとも一つの窪み部４０が形成され、壁パネル１の最下行の少なくとも一つの模様部１０における窪み部４０の長辺方向の割合は、少なくとも一つの模様部１０の上側に隣り合う他の模様部１０の窪み部４０の長辺方向の割合よりも、小さい、こととしている。
【００４６】
本実施例では、凹凸により表面模様６が形成されている方形状の壁パネル１であって、表面模様６は、複数の模様部１０と複数の縦目地部２０を交互に横方向に配設してなる行６１，６２を、横目地部３０を挟んで上下方向に配設して構成されており、各模様部１０の下端側には少なくとも一つの窪み部４０が形成され、各模様部１０の下端側のエッジ箇所６７ｅによって現れる横ライン６７ｍは窪み部４０を含んで起伏しており、壁パネル１の最下行の行６７の少なくとも一つの模様部１０Ｍにおける横ライン６７ｍのうち、壁パネル１の厚み方向の基準高さＫよりも高い領域５０ａ，５０ｂ，５０ｃの合計横幅（ｘａ＋ｘｂ＋ｘｃ）の、横ライン６７ｍの全幅Ｘ１に対する割合は、横目地部３０を挟んで隣り合う他の模様部１０Ｘの横ライン６７ｘのうち、基準高さＫよりも高い領域５０ｅ，５０ｆの合計横幅（ｘｅ＋ｘｆ）の、横ライン６７ｘの全幅Ｘ２に対する割合よりも、小さい、こととしている。
【００４７】
図３に示すように、横ライン６７ｍは、最下行の行６７の模様部１０に下端側のエッジ箇所６７ｅ（図６も参照）の起伏を、横方向（Ｘ方向）、高さ方向（Ｚ方向）にプロットしたもので表される。換言すれば、エッジ箇所６７ｅの起伏が横ライン６７ｍで表現される。なお、図３の横ライン６７ｍは、模様部１０に対する相対的な横・高さ倍率を２倍に拡大して表している。
【００４８】
このように特定される横ライン６７ｍが、図４に示される最下行の行６７のある模様部１０Ｍの下端側のエッジ箇所６７ｅで規定される場合において、模様部１０Ｍに対し横目地部３０を挟んで隣り合う他の模様部１０Ｘ，１０Ｙを特定したとする。
【００４９】
そして、図４に示される各模様部１０Ｘ，１０Ｙの下端側のエッジ箇所６７ｅの起伏についても同様に、図９に示すごとくの横ライン６７ｘ，６７ｙが構成されたとする。
【００５０】
また、図９に示すごとく、壁パネル１の厚み方向のある位置を、基準高さＫとして規定する。例えば、壁パネル１の底面高さから、全厚みの１／２だけ高い位置や、全厚みの２／３だけ高い位置を基準高さＫとすることができる。
【００５１】
そして、図９に示すように、例えば、横ライン６７ｍについて網掛けで示される領域５０ａ，５０ｂ，５０ｃが、壁パネル１の厚み方向の基準高さＫよりも高い領域として規定される。各領域５０ａ，５０ｂ，５０ｃは、それぞれ横幅ｘａ，ｘｂ，ｘｃを有しており、合計横幅（ｘａ＋ｘｂ＋ｘｃ）が算出される。
【００５２】
また、例えば、横ライン６７ｍについて、全幅Ｘ１が規定される。この全幅Ｘ１は、横ライン６７ｍのうち、例えば、基準高さＫにおける横幅を基準として規定することができる。
【００５３】
同様に、横ライン６７ｘ，６７ｙについても、合計横幅（ｘｅ＋ｘｆ）、（ｘｇ＋ｘｈ）と、全幅Ｘ２，Ｘ３が規定される。
【００５４】
以上のように各種数値を規定するとともに以下の定義式、関係式が定義される。
（定義式１）
横ライン６７ｍの傾斜面領域割合Ｑｍ＝（ｘａ＋ｘｂ＋ｘｃ）／Ｘ１
（定義式２）
横ライン６７ｘの傾斜面領域割合Ｑｘ＝（ｘｄ＋ｘｅ）／Ｘ２
（定義式３）
横ライン６７ｙの傾斜面領域割合Ｑｙ＝（ｘｆ＋ｘｇ）／Ｘ３
（関係式１）
Ｑｍ＜Ｑｘ  かつ  Ｑｍ＜Ｑｙ
【００５５】
以上のようにして、図９に示すように、壁パネル１の最下行の行６７に配置される少なくとも一つの模様部１０Ｍについて、その直ぐ上にある模様部１０Ｘ，１０Ｙと比較すると、基準高さよりも高い位置に現れる横ラインの割合を少なくすることができ、最下行の行６７において、角度の鋭いエッジ箇所（６７ｅ：図６参照）にて形成される横ライン６７ｍが顕著に目立ってしまうことを防ぐことができる。
【００５６】
そして、角度の鋭いエッジ箇所（６７ｅ：図６参照）にて形成される横ライン６７ｍがくっきりと現れることにより外壁の美観を損なってしまうことや、施工上の不具合であるがごとくの印象を与えてしまうことを防ぐことができる。
【００５７】
なお、以上の説明では、図４に示すごとく、ある一つの模様部１０Ｍと、その直ぐ上に配置されて、模様部１０Ｍと隣り合う二つの模様部１０Ｘ，１０Ｙとの比較の例を用いたが、隣り合う凸模様部の数は二つである場合に限らず、一つとなる場合や、三つ以上である場合も考えられる。
【００５８】
また、図３に示すごとく、壁パネル１の最下行（行６７）の少なくとも一つの模様部１０における窪み部４０は、上下方向に連続的に構成される、つまりは、最下行の行６７の上下の横目地部３０を連続させるように構成されており、上側から下側へ向かうほど広がるように形成される、こととしている。
【００５９】
図３では、窪み部４０と隆起部５０の境界部分において、末広がりのライン４４ａ，４４ｂをなす窪み部４０を構成することで、上側から下側へ向かうほど広がるような窪み部４０が形成される。なお、本実施例では、同様の末広がりの形状をなす窪み部４０を複数箇所に設けることとしている。
【００６０】
このようにして、図３、図９に示すごとく、模様部１０について窪み部４０の形状を含めたデザインをしつつ、エッジ箇所の横ライン６７ｍが現れる部位を少なくすることができ、横ライン６７ｍがくっきりと現れることによって外壁の美観を損なってしまうことや、施工上の不具合であるがごとくの印象を与えてしまうことを防ぐことができる。
【産業上の利用可能性】
【００６１】
本発明は、住宅などの建物の外装（外壁）や内装（室内壁、通路壁など）を形成するための壁パネルについて幅広く適用可能である。
【符号の説明】
【００６２】
１    壁パネル
５    接合部
５ａ    縦ライン
６    表面模様
１０    模様部
２０    縦目地部
２５    連続目地部
３０    横目地部
５０    隆起部
５２    バリ
５４    面取部
５６    連続面取部
６１    行
【図１】
2015105520.tif 000003
【図２】
2015105520.tif 000004
【図４】
2015105520.tif 000005
【図６】
2015105520.tif 000006
【図７】
2015105520.tif 000007
【図８】
2015105520.tif 000008
【図９】
2015105520.tif 000009
【図１０】
2015105520.tif 000010
【図３】
2015105520.tif 000011
【図５】
2015105520.tif 000012